(57)【要約】【解決手段】本発明は、ボール表面の全部又は一部に、暗色に着色した主要区域と、該主要区域中に比較的明るい色調の文字、図形等の表示部が施されてなり、上記主要区域の暗色をＬａｂ表示法によって表わしたとき明度Ｌが４５以下であり、かつ（ａ2＋ｂ2）1/2で表わされる彩度Ｃが５以下であることを特徴とするゴルフボールを提供する。【効果】本発明のゴルフボールは、優れた反発性及び耐擦過傷性を維持しつ色彩感覚に富み、ファッション性が高いものである。【選択図】図１
2006187601.tif 000002
【特許請求の範囲】
【請求項１】
ボール表面の全部又は一部に、暗色に着色した主要区域と、該主要区域中に比較的明るい色調の文字、図形等の表示部が施されてなり、上記主要区域の暗色をＬａｂ表示法によって表わしたとき明度Ｌが４５以下であり、かつ（ａ2＋ｂ2）1/2で表わされる彩度Ｃが５以下であることを特徴とするゴルフボール。
【請求項２】
上記主要区域が黒色である請求項１記載のゴルフボール。
【請求項３】
上記主要区域の色と上記表示部の色とのＬａｂ色差ΔＥが３０以上である請求項１又は２記載のゴルフボール。
【請求項４】
上記主要区域の色の明度Ｌと上記表示部の色の明度Ｌとの差が２５以上である請求項１〜３のいずれか１項記載のゴルフボール。
【請求項５】
上記表示部が複数の色からなる請求項１〜４のいずれか１項記載のゴルフボール。
【請求項６】
上記表示部がボール表面に複数個形成される請求項１〜５のいずれか１項記載のゴルフボール。
【請求項７】
上記表示部がボール表面にほぼ均等に分散配置された請求項６記載のゴルフボール。
【請求項８】
ボール表面全体に占める主要区域と表示部との面積占有比が７０：３０〜９９：１である請求項１〜７のいずれか１項記載のゴルフボール。
【発明の詳細な説明】
【技術分野】
【０００１】
本発明は、ボール表面が着色されたゴルフボールに関し、更に詳述すると、ファッション性が高く、視認性、反発性及び耐擦過傷性に優れたゴルフボールに関する。
【背景技術】
【０００２】
ゴルフボールに着色される色に関し、白色に着色されものが主流ではあるが、その他、白色以外にも橙色、黄色などの明るい色彩をボール表面に付与した所謂カラーボールも市販されている。
【０００３】
最近では、様々な需要者がゴルフプレーを行なうようになり、女性ゴルファーも年々増加しており、上記のカラーボールは、伝統的に使用されている白色系ボールに対して、これらの要望に応えるのに適したものである。即ち、カラーボールは、色彩の面でファッション性が高く、色彩感を付与して人目をひきやすい利点がある。
【０００４】
しかしながら、従来のカラーボールでは、ボール外観を付与するだけであり、ボール性能の面からは白色系ボールよりと実質上異なる点はなかった。
【０００５】
【特許文献１】特開２０００−２５４２５１号公報
【特許文献２】特開２００４−８１３５０号公報
【発明の開示】
【発明が解決しようとする課題】
【０００６】
本発明は、上記事情に鑑みなされたもので、ゴルフボールに本来要求されるボール性能に優れており、ファッション性が高く、視認性に優れたゴルフボールを提供することを目的とする。
【課題を解決するための手段】
【０００７】
本発明者らは、上記目的を達成するため、鋭意検討を行った結果、ボール表面の全部又は一部に、暗色に着色した主要区域と、該主要区域中に比較的明るい色調を有する文字、図形等の表示部を形成し、上記主要区域の暗色をＬａｂ表示法によって表わしたとき明度Ｌが４５以下であり、かつ（ａ2＋ｂ2）1/2で表わされる彩度Ｃが５以下であるよう暗色の色合いを調整することにより、反発性及び耐擦過傷性等のボール特性を良好に向上し、同時に色彩感覚に富み、ファッション性が高いカラーボールを提供し得ることを知見し、本発明をなすに至った。
【０００８】
従って、本発明は、下記のゴルフボールを提供する。
〔１〕ボール表面の全部又は一部に、暗色に着色した主要区域と、該主要区域中に比較的明るい色調の文字、図形等の表示部が施されてなり、上記主要区域の暗色をＬａｂ表示法によって表わしたとき明度Ｌが４５以下であり、かつ（ａ2＋ｂ2）1/2で表わされる彩度Ｃが５以下であることを特徴とするゴルフボール。
〔２〕上記主要区域が黒色である〔１〕記載のゴルフボール。
〔３〕上記主要区域の色と上記表示部の色とのＬａｂ色差ΔＥが３０以上である〔１〕又は〔２〕記載のゴルフボール。
〔４〕上記主要区域の色の明度Ｌと上記表示部の色の明度Ｌとの差が２５以上である〔１〕〜〔３〕のいずれか１項記載のゴルフボール。
〔５〕上記表示部が複数の色からなる〔１〕〜〔４〕のいずれか１項記載のゴルフボール。
〔６〕上記表示部がボール表面に複数個形成される〔１〕〜〔５〕のいずれか１項記載のゴルフボール。
〔７〕上記表示部がボール表面にほぼ均等に分散配置された〔６〕記載のゴルフボール。
〔８〕ボール表面全体に占める主要区域と表示部との面積占有比が７０：３０〜９９：１である〔１〕〜〔７〕のいずれか１項記載のゴルフボール。
【発明の効果】
【０００９】
本発明のゴルフボールは、優れた反発性及び耐擦過傷性を維持しつ色彩感覚に富み、ファッション性が高いものである。
【発明を実施するための最良の形態】
【００１０】
以下、本発明につき更に詳しく説明する。
本発明のゴルフボールは、ボール表面の全部又は一部には、黒色で代表される暗色の主要区域が形成されると共に、該主要区域には、比較的明るい色調の表示部が形成されることを特徴とする。図１は、本発明の一実施例に係るゴルフボールの表面の様子を示した正面図であるが、この図１中、Ｇがゴルフボール、Ｔが表示部、Ｗがボール表面上の主要区域であり、この区域は暗色に表わされる。
【００１１】
本発明においては、上記主要区域Ｗの暗色をＬａｂ表示法によって表わしたとき明度Ｌが４５以下であり、かつ（ａ2＋ｂ2）1/2で表わされる彩度Ｃが５以下であることを特徴とする。
【００１２】
ここで、Ｌａｂ表色法とはＪＩＳ  Ｚ８７３０に規定される三刺激値Ｘ，Ｙ，Ｚを用いて下記式から求められる。
【００１３】
Ｌ＝１０Ｙ1/2                                    …（１）
ａ＝１７．５（１．０２Ｘ−Ｙ）／Ｙ1/2            …（２）
ｂ＝７．０（Ｙ−０．８４７Ｚ）／Ｙ1/2            …（３）
ここで、Ｌ：ハンター（Ｒ．  Ｓ．  Ｈａｎｔｅｒ）の色差式における明度指数。
ハンター色差式における色座標については、
ａ，ｂ：ハンターの色差式における色座標
Ｘ，Ｙ，Ｚ：Ｘ，Ｙ，Ｚ表色示における三刺激値Ｘ，Ｙ，Ｚの値
を示す。
【００１４】
上記Ｌａｂ表色のうち、Ｌは明度を表し、１００〜０までの値が求められる。明度とは色の明暗の状況、即ち明るさの度合をいう。このＬ値が大きいほど明るいことを意味する。
【００１５】
また、ａ，ｂは色彩を表し、ａは赤−緑方向、ｂは黄−青方向を表す。従って、ａ値が大きくなると赤味が強くなり、小さくなると緑味が強くなり、ｂ値が大きくなると黄味が強くなり、小さくなると青味が強くなる。これらａ，ｂの関係をまとめると、下記の表１の通りになる。
【００１６】
【表１】
2006187601.tif 000003
【００１７】
本発明において、表示部Ｔの部分以外の主要区域Ｗの色の明度Ｌは４５以下であるが、好ましくは４０以下、より好ましくは３５以下、更に好ましくは３０以下である。
【００１８】
彩度Ｃは、その数値が大きいほど鮮やかな色となり、逆に、数値が小さくなると、くすんだ色となり、０付近では灰色がかかった色となる。本発明における上記主要区域Ｗの色の彩度Ｃは５以下であり、好ましくは４以下、より好ましくは３以下、最も好ましくは２以下である。
【００１９】
上記主要区域Ｗの色と上記表示部Ｔの色とのＬａｂ色差（ハンターＬａｂ色差）を求め、両者の色差ΔＥを算出する。即ち、上記主要区域のＬａｂ色差（Ｌ１，ａ１，ｂ１）、上記表示部のＬａｂ色差（Ｌ２，ａ２，ｂ２）を測定し、これらの差ΔＬ＝Ｌ１−Ｌ２，Δａ＝ａ１−ａ２，Δｂ＝ｂ１−ｂ２を算出し、下記式より両者の色差ΔＥを求める。
ΔＥ＝（ΔＬ2＋Δａ2＋Δｂ2）1/2
【００２０】
この場合、上記の色差ΔＥは３０以上、好ましくは３５以上、より好ましくは４０以上、更に好ましくは５０以上である。色差ΔＥが３０未満であると、主要区域Ｗと表示部の色が類似してしまい、表示部Ｔの視認が低下してしまう。
【００２１】
色差ΔＥの上限は特に制限されないが、ボール製造に当って美的な観点から１５０以下、好ましくは１２０以下、より好ましくは１００以下である。
【００２２】
上記表示部Ｔとしては、具体的には、アルファベット、数字、漢字、仮名、記号等の文字や種々な図形等からなる商標、略称などが挙げられる。上記表示部Ｔの色の選定については、ボールの美的外観の側面から、プレイナンバー等に採用する色やボール表面の主要区域の暗色の度合などによって適宜選定することができる。
【００２３】
上記の表示部Ｔの色は単色でもよいが、より十分な美的要素を付加する目的で異なる複数の色をたとえば２〜４色組み合わせて配色することができる。この場合、できる限り球面全体に均等に配色することが好ましい。
【００２４】
なお、図２では、上記表示部Ｔは、ボール表面の互いに対向する位置（正面と背面）にそれぞれ形成された態様を示している。図２中のボールＧは２層構造を示し、符号１はソリッドコア、２はカバー、Ｄはディンプルを示す。
【００２５】
本発明におけるボール球面全体に占める暗色の区域と表示部部分の表面積占有比については、暗色の区域を中心に表示すると７０：３０以上、好ましくは８０：２０以上、より好ましくは９０：１０以上、上限として９９：１以下、好ましくは９８：２以下、より好ましくは９５：５以下である。上記７０：３０に暗色区域の比率が満たないときは、ゴルフボールの美的な面が損なわれ、一方、９９：１を超えると視認性の面から問題が生じる。
【００２６】
本発明においては、ゴルフボールの種類や構造については、特に制限されるものではない。即ち、カバーが被覆するコアについては特に制限されず、糸巻きコアを用いた糸巻きゴルフボールとしてもよく、また、ソリッドコアを用いたソリッドゴルフボールとした場合には、ボールの層構造は、１ピース，２ピース及びそれ以上のマルチピースとすることができる。なお、糸巻きコア及びソリッドコアとしては、通常の糸巻きコア或いはソリッドコアと同様のものを用いることができ、公知の材料及び常法により得られたコアを用いることができる。
【００２７】
また、カバー材料としては、例えば、アイオノマー樹脂、ポリエステルエラストマー、熱可塑性又は熱硬化性ポリウレタンエラストマー等を単独で、或いはこれらの樹脂にポリアミド系樹脂、エチレン−酢酸ビニル共重合体等を混合した樹脂混合物を用いることができる。
【００２８】
また、上記カバー組成物には、酸化チタン、硫酸バリウム、分散剤、カーボンブラック、各種顔料、ポリエチレンワックス、タングステン等を適宜配合することができ、これらの配合量を調整することによりカバーのＬａｂ表色を最適なものに調整することができる。
【００２９】
なお、本発明の上記のゴルフボールは、公知の方法で製造することができ、例えば、ツーピースやマルチピースソリッドゴルフボールとする場合には、上記加熱成形物をソリッドコアとして所定の射出成形用金型内に配備し、ツーピースソリッドゴルフボールの場合には上記カバー材を、マルチピースソリッドゴルフボールの場合には、順に上記中間層材、カバー材を所定の方法に従って射出する公知の方法を好適に採用できる。場合によっては、上記カバー材を加圧成形によって製造することもできる。
【００３０】
また、上記表示部の形成方法としては、公知の方法を用いることができ、具体的には、刻印、インクジェット、又は紫外線などの特殊光線を照射すると発色する特殊インク等の方法を好適に採用することができる。
【００３１】
本発明のゴルフボールの質量、直径等のボール性状はゴルフボール規則に従い適宜選定することができる。
【００３２】
また、本発明のゴルフボールにおいては、ボール表面には塗装を施してもよい。この場合、塗装は通常使用されている塗料を用いてもよいが、ボール表面上を白色以外の色、具体的には、明度Ｌが４５以下となるように塗装し、かつ各種の偏光材料を塗料に含有させることにより、ボール表面に光輝性を発現し、偏光材料を含有しないものと比較して、ボール外観を良好に仕上げることができる。具体的には、上記の偏光材料からの反射光による干渉作用により、カラーフロップ性が発現し、ファッション性及び高級感に優れたボール外観を得ることができる。このような塗料としては、例えば、固形成分３５％の２液硬化型ウレタン塗料に対して偏光材料「イリオジン１５３」（メルク社製）を１．２５質量％含有させるものが挙げられる。
【実施例】
【００３３】
以下、実施例及び比較例を示し、本発明を具体的に説明するが、本発明は下記実施例に制限されるものではない。
【００３４】
〔実施例１〜１０，比較例１〜５〕
下記組成のゴム組成物を混練ロールで混練し、加熱加圧成形することにより直径４０．３ｍｍのソリッドコアを作成した。
【００３５】
<ゴム組成物>
シス−１，４−ポリブタジエン            １００      質量部
アクリル酸亜鉛                            ２５      質量部
酸化亜鉛                                  １４      質量部
老化防止剤                                  ０．１  質量部
ジクミルパーオキサイド                      １．５  質量部
【００３６】
得られたコアの周囲に、下記表２に示したカバー材料を射出成形により被覆して、厚さ１．２ｍｍのカバー層を具備した直径４２．７ｍｍのツーピースゴルフボールを各実施例、比較例ごとに作成した。
【００３７】
【表２】
2006187601.tif 000004
【００３８】
本発明のゴルフボールと、従来から知られている白色系のゴルフボールとをそれぞれ実施例１、比較例１とし、両ボールを直射日光に所定時間晒し、その結果生じるボール表面における温度変化及び温度変化後の反発性及び耐擦過傷性を評価した。その結果を下記の表３に示す。
【００３９】
反発性能
対象ボールを日光に１８０分照射した後に、ＵＳＧＡによるドラム回転式の初速度測定器を用いて打撃速度４３．８３ｍ／ｓ（１４３．８ｆｔ／ｓ）における初速度を測定した。
【００４０】
耐擦過傷性
対象ボールを日光に１８０分照射した後に、ブリヂストンスポーツ社製ピッチングウェッジＥａｇｌｅ及びスポルディング社製ピッチングウェッジＧｒａｖｉｓｔａｒの２種類のクラブを打撃マシンを用いてヘッドスピード（ＨＳ）３３ｍ／ｓで各々２回打撃し、３名の検査員により、外観検査を行った。数字が大きいほど耐擦過傷性に優れている。
【００４１】
【表３】
2006187601.tif 000005
【００４２】
次に、ボールの暗色区域に施された表示部の表色を種々変更して色差を変化させた本発明例及び従来例として、実施例２〜１０及び比較例２〜５のゴルフボールを作製した。なお、各例における暗色区域（黒色又は濃紺色で表示した区域）の表面に対する表示部の面積比は８０：２０である。これらのゴルフボールの視認性を評価した。その結果を下記の表４に示す。
【００４３】
視認性
１０名の判別者がボール表面に形成された表示部の見易さを下記の基準に従って評価した。
◎：８名以上が見やすいと判断した。
○：５〜７名が見やすいと判断した。
△：３名又は４名が見やすいと判断した。
×：２名以下が見やすいと判断した。
【００４４】
【表４】
2006187601.tif 000006
【００４５】
表３及び表４の結果に示されるように、本発明のゴルフボールは、ボール表面の主要区域が色調が適正化された暗色に表わされているため、日光に晒されることにより、ボール表面の温度が上昇するようになり、比較的短時間の照射であっても、寒い日であっても同様の温度上昇の効果がある。この結果、ゴルフボールの反発性及び耐擦過傷性を有利に改善することができる。また、本発明のゴルフボールは、比較的明るく着色された表示部に基づく明度のコントラストを付与することができ、ボールを打撃した後では、表示部の見易さによりプレイヤーの視認性が高く、従来の白系単一色のボールに比べるとプレイヤーに有利なゴルフボールであることが分かる。
【図面の簡単な説明】
【００４６】
【図１】本発明の一実施例に係るゴルフボールの表面の様子を示した正面図である。
【図２】図１に示したボールの横断面図である。
【符号の説明】
【００４７】
Ｇ    ボール
Ｗ    主要区域
Ｔ    表示部
１    ソリッドコア
２    カバー
Ｄ  ディンプル
【図１】
2006187601.tif 000007
【図２】
2006187601.tif 000008